(57)【要約】      （修正有）【課題】組立が容易で、飼い主の部屋に調和するよう外観を変化させ得るペットハウスを提供する。【解決手段】内外反転可能な小屋本体１と、この小屋本体１上に設置される着脱自在な屋根部２とを有して構成されるペットハウスである。小屋本体１は、ペットの出入りを許容する出入口１１を開口せしめた前面部１３ａと、この前面部１３ａの下端に周縁が接続する底面部とを有する。外壁部１３には、その内外面となる第１面と第２面に異なる意匠パターンが施されており、屋根部２は、直線状の折目を有して山折り、谷折りが可能とされている。【選択図】図１
0003161193.tif 000002
【実用新案登録請求の範囲】
【請求項１】
内外反転可能な小屋本体と、この小屋本体上に設置される着脱自在な屋根部とを有して構成されるペットハウスであり、
前記小屋本体は、ペットの出入りを許容する出入口を開口せしめた外壁部と、この外壁部の下端に周縁が接続する底面部とを有し、
前記外壁部には、その内外面となる第１面と第２面に異なる意匠パターンが施され、
前記屋根部は、直線状の折目を有して山折り、谷折りが可能とされていることを特徴とするペットハウス。
【請求項２】
前記屋根部にも、その表裏面となる第１面と第２面に異なる意匠パターンが施されていることを特徴とする請求項１記載のペットハウス。
【請求項３】
前記小屋本体の底面部上に配置される床マットを備えていることを特徴とする請求項１、又は２記載のペットハウス。
【請求項４】
前記床マットにも、その表裏面となる第１面と第２面に異なる意匠パターンが施されていることを特徴とする請求項３記載のペットハウス。
【請求項５】
前記小屋本体は、その上に設置された前記屋根部を係止する係止手段を備えていることを特徴とする請求項１〜４のいずれか１項に記載のペットハウス。
【請求項６】
前記係止手段として、前記小屋本体の外壁部の上端に、複数のフック状係止部材を有してなる面ファスナが逢着されていると共に、
前記屋根部は、その表裏面となる第１面と第２面が前記フック状係止部材に絡み付く繊維シートからなることを特徴とする請求項５記載のペットハウス。
【考案の詳細な説明】
【技術分野】
【０００１】
本考案は、主に室内において犬や猫といったペット（愛玩用小動物）を飼育するのに用いられるペットハウスに関する。
【背景技術】
【０００２】
従来、犬や猫といったペットを室内で飼育する場合、ペットの住処とする小屋（ペットハウス）を室内に配置することが一般に広く行われているが、その種のペットハウスとして、内側面に炭素粉末を含む塗料を塗付した段ボール製のペットハウスが提案されている（例えば、特許文献１）。
【先行技術文献】
【特許文献】
【０００３】
【特許文献１】登録実用新案第３１０００７６号公報
【考案の概要】
【考案が解決しようとする課題】
【０００４】
しかしながら、特許文献１に開示されるペットハウスは、段ボールを折って組み立てられるので、炭素粉末による消臭効果を得られても、組立が困難である上、耐久性に劣り、取り分け意匠性に乏しく室内に配置して美観を損ない、これを配置する飼い主の部屋に調和するよう外観を変化させることもできない。
【０００５】
本考案は以上のような事情に鑑みて成されたものであり、その目的は組立が容易で、飼い主の部屋に調和するよう外観を変化させ得るペットハウスを提供することにある。
【課題を解決するための手段】
【０００６】
上記目的を達成するため、本考案に係るペットハウスは、
内外反転可能な小屋本体と、この小屋本体上に設置される着脱自在な屋根部とを有して構成されるペットハウスであり、
前記小屋本体は、ペットの出入りを許容する出入口を開口せしめた外壁部と、この外壁部の下端に周縁が接続する底面部とを有し、
前記外壁部には、その内外面となる第１面と第２面に異なる意匠パターンが施され、
前記屋根部は、直線状の折目を有して山折り、谷折りが可能とされていることを特徴とする。
【０００７】
加えて、前記屋根部にも、その表裏面となる第１面と第２面に異なる意匠パターンが施されていることを特徴とする。
【０００８】
又、前記小屋本体の底面部上に配置される床マットを備えるほか、その床マットにも表裏面となる第１面と第２面に異なる意匠パターンが施されていることを特徴とする。
【０００９】
更に、前記小屋本体は、その上に設置された前記屋根部を係止する係止手段を備え、好ましくは前記係止手段として、前記小屋本体の外壁部の上端に、複数のフック状係止部材を有してなる面ファスナが逢着されていると共に、前記屋根部は、その表裏面となる第１面と第２面が前記フック状係止部材に絡み付く繊維シートからなることを特徴とする。
【考案の効果】
【００１０】
本考案に係るペットハウスによれば、小屋本体上に屋根部を設置するだけで使用に供することができる。特に、小屋本体が外壁部と底面部とを有して内外反転可能とされていると共に、その外壁部には内外面となる第１面と第２面に異なる意匠パターンが施されていることから、小屋本体を裏返して飼い主の部屋にペットハウスが調和するようその外観を変化させることができる。
【００１１】
加えて、屋根部は、直線状の折目を有して山折り、谷折りが可能とされていると共に、その表裏面となる第１面と第２面にも異なる意匠パターンが施されていることから、外壁部の意匠パターンとの組み合わせにより、ペットハウス全体の視覚的印象を大きく変化させることができる。
【００１２】
又、小屋本体の底面部に配置される床マットを備えていることから、ペットにとって居心地の良い空間を形成できることに加え、床マットの表裏面となる第１面と第２面にも異なる意匠パターンが施されていることから、ペットハウス全体の視覚的印象をより大きく変化させることができる。
【００１３】
更に、小屋本体に屋根部を係止する係止手段が設けられることから、屋根部が不用意に脱落してしまうことがない。
【００１４】
特に、その係止手段として、小屋本体の外壁部の上端に、複数のフック状係止部材を有してなる面ファスナが逢着されていると共に、屋根部の両面がフック状係止部材に絡み付く繊維シートにより形成されていることから、屋根部の着脱が容易である上、使用時においては屋根部により面ファスナが隠されるので体裁を損なわない。
【図面の簡単な説明】
【００１５】
【図１】表面の意匠パターンを省略した本考案に係るペットハウスを示す正面図
【図２】図１に示したペットハウスの背面図
【図３】図１に示したペットハウスの側面図
【図４】図１に示したペットハウスの斜視分解図
【図５】小屋本体に設けた係止手段を示す部分拡大図
【図６】異なる意匠パターンを施した屋根部の表裏両面を示す説明図
【図７】異なる意匠パターンを施した床マットの表裏両面を示す説明図
【図８】本考案に係るペットハウスの使用形態を示す斜視図
【図９】図７に示したペットハウスの小屋本体と屋根部を表裏反転させた状態を示す斜視図
【考案を実施するための形態】
【００１６】
以下、本考案に係るペットハウスを図面に基づいて詳しく説明すれば、係るペットハウスは、室内で飼育する犬あるいは猫などのペットの住処として室内に配置されるもので、図１〜図３に示されるように、小屋本体１と、この小屋本体１上に設置される屋根部２とを有して構成される。又、図１に示されるように、小屋本体１には、ペットの出入りを許容する出入口１１が開口されており、小屋本体１上に設置された屋根部２は山形に折れ曲がった三角形の形態とされている。
【００１７】
特に、図４に示されるように、係る小屋本体１と屋根部２は別体として分離可能とされている。つまり、屋根部２は小屋本体１上に着脱自在にして設置される。
【００１８】
小屋本体１は、底面部１２と外壁部１３とを有する箱形にして、内外反転可能な柔軟性を有しており、その底面部１２は矩形の不織布あるいは布地を外壁部１３の下端に逢着して形成されている。又、外壁部１３は、出入口１１を形成した前面部１３ａと、この前面部１３ａに対向する背面部１３ｂと、左右側面部１３ｃ，１３ｄとを縫合して連ねた矩形の形態とされている。本例において、その前面部１３ａ、背面部１３ｂ、及び左右側面部１３ｃ，１３ｄは、起毛仕上げしたポリエステル生地を外装カバーとして、その内部にポリウレタンからなるクッション体を収容して構成されている。このうち、前面部１３ａおよび背面部１３ｂは、その各上縁が屋根部２に対応して山形とされており、これにより小屋本体１上に屋根部２を隙間無く設置可能とされている。
【００１９】
尚、屋根部２は小屋本体１の上に単に載せられるだけでも良いが、小屋本体１が屋根部２を係止する係止手段を備えていることが好ましい。ここに、係る係止手段として、本考案のペットハウスでは、小屋本体１を構成する外壁部１３の上端にその全周に亘って面ファスナ１４が逢着されている。
【００２０】
面ファスナ１４は、マジックテープ（登録商標）の雄側となるもので、図５のようにシート状基材１４ａに複数のフック状係止部材１４ｂを植え付けて構成されている。公知のように、フック状係止部材１４ｂは、短繊維状の合成樹脂製にして先端部が鉤状に曲げられたものであり、本考案ではこれに屋根部２の両面が係止されるようになっている。具体例として、係る屋根部２は、ポリウレタンなどからなるクッション体を中材として、その表裏面となる第１面２Ａと第２面２Ｂが起毛仕上げしたポリエステル生地などの繊維シートにより形成されており、その繊維シートの繊維体がフック状係止部材１４ｂに絡み付くようになっている。
【００２１】
又、屋根部２は、柔軟性を有して小屋本体１上から取り外したとき平板状に広げ得るようになっていると共に、その中央部には図６のように一端縁から他端縁に亘って直線状の折目２１が付けられている。尚、この折目２１は例えば糸を縫い付けることにより形成される。そして、係る屋根部２はその折目２１を中心として山折り、谷折りが可能とされている。つまり、屋根部２は折目２１を中心にして、その両側を第１面２Ａ側が凸となるように折ったり、第２面２Ｂ側が凸となるように折ったりすることができる。
【００２２】
加えて、屋根部２には、図６に示されるように第１面２Ａと第２面２ｂに異なる意匠パターンが施されている。尚、本例において、屋根部２の第１面２Ａには意匠パターンとして濃褐色の彩色が施され、屋根部２の第２面２Ｂには意匠パターンとして淡褐色の彩色が施されている。
【００２３】
一方、図４において、本考案に係るペットハウスは、上記小屋本体１とその上部を覆う着脱自在な上記屋根部２のほか、床マット３を備えている。床マット３は、小屋本体１の底面部１２上に配置されるもので、その形態は図示例において底面部１２および外壁部１３の内周形状と同じ矩形とされている。
【００２４】
又、図７に示すように、床マット３も両面兼用タイプにして、その表裏面となる第１面３Ａと第２面３Ｂに異なる意匠パターンが施されている。尚、本例において、床マット３の第１面３Ａには意匠パターンとして茶色地に白色の縦線と横線を付けた細目の格子縞が施され、床マット３の第２面３Ｂには意匠パターンとして白地に茶色の縦線と横線を付けた粗目の格子縞が施されている。
【００２５】
次に、図８および図９から明らかなように、小屋本体１を構成する外壁部１３において、その内外面となる第１面１Ａと第２面１Ｂにも異なる意匠パターンが施されている。尚、本例において、外壁部（前面部１３ａ、背面部１３ｂ、及び左右側面部１３ｃ，１３ｄ）の第１面１Ａ（図８参照）には、意匠パターンとして茶色地に白色の縦線と横線を付けた細目の格子縞が施され、外壁部（前面部１３ａ、背面部１３ｂ、及び左右側面部１３ｃ，１３ｄ）の第２面１Ｂ（図９参照）には、意匠パターンとして白地に茶色の縦線と横線を付けた粗目の格子縞が施されている。
【００２６】
このように、本考案によれば、外壁部１３の第１面１Ａを外面としながら、その小屋本体１上に屋根部２を設置して図８のようなペットハウスとすることができるほか、小屋本体１を裏返して（内外面を反転させて）外壁部１３の第２面１Ｂを外面としながら、その小屋本体１上に屋根部２を設置することにより図９のようなペットハウスにして見た目の印象を全く異ならせることができる。
【００２７】
尚、図８では屋根部２が第１面２Ａを外向きにして小屋本体１上に設置され、図９では屋根部２が第２面２Ｂを外向きにして小屋本体１上に設置された状態を示しているが、いずれの場合も面ファスナ１４が外壁部１３の上端にあって屋根部２により隠されるので、使用時には面ファスナ１４が外部に現れず、それ故に体裁を損なわない。
【００２８】
又、係るペットハウスによれば、図８および図９に示す例に限らず、図８に示す屋根部２の第１面２Ａを内向きにしたり、図９に示す屋根部２の第２面２Ｂを内向きにしたりして、外観を４パターンに変化させることができることに加え、床マット３を表裏反転させることにより、内部デザインを６パターンに変化させることができる。
【符号の説明】
【００２９】
１  小屋本体
１１  出入口
１２  底面部
１３  外壁部
１３ａ  前面部
１３ｂ  背面部
１３ｃ  左側面部
１３ｄ  右側面部
１４  面ファスナ
１４ｂ  フック状係止部材
１Ａ  外壁部の内外面となる第１面
１Ｂ  外壁部の内外面となる第２面
２  屋根部
２１  折目
２Ａ  屋根部の表裏面となる第１面
２Ｂ  屋根部の表裏面となる第２面
３  床マット
３Ａ  床マットの表裏面となる第１面
３Ｂ  床マットの表裏面となる第１面
【図１】
0003161193.tif 000003
【図２】
0003161193.tif 000004
【図３】
0003161193.tif 000005
【図４】
0003161193.tif 000006
【図５】
0003161193.tif 000007
【図６】
0003161193.tif 000008
【図７】
0003161193.tif 000009
【図８】
0003161193.tif 000010
【図９】
0003161193.tif 000011